(57)【特許請求の範囲】
【請求項１】
外側金属管に比べて高い引張強度の金属材料からなる内側金属管に内側かしめ加工用溝を形成する内側かしめ加工用溝形成工程と、
前記内側かしめ加工用溝形成工程の後、前記外側金属管と前記内側金属管とを前記内側かしめ加工用溝が前記外側金属管の内面と重なる位置に配する配置工程と、
前記外側金属管の外面のうち、前記内側かしめ加工用溝と重なる位置でかしめ溝を形成し、前記外側金属管と前記内側金属管とをかしめる加工を施すかしめ加工工程とを含む接合管体の製造方法であって、
前記外側金属管の少なくとも一方の端部に、内径が前記内側金属管の外径と略同じである拡管部が形成されており、
前記配置工程は、前記内側金属管を前記拡管部に挿入し、前記内側金属管の一端を前記拡管部の基端に突き当てる工程であり、
前記かしめ加工工程は、前記拡管部の外面のうち、前記内側金属管の一端を前記拡管部の基端に突き当てたときに前記内側かしめ加工用溝と重なる位置でかしめ溝を形成し、前記外側金属管と前記内側金属管とをかしめる加工を施す工程である、接合管体の製造方法。
【請求項２】
外側金属管に比べて高い引張強度の金属材料からなる内側金属管に内側かしめ加工用溝を形成する内側かしめ加工用溝形成工程と、
前記内側かしめ加工用溝形成工程の後、前記外側金属管と前記内側金属管とを前記内側かしめ加工用溝が前記外側金属管の内面と重なる位置に配する配置工程と、
前記外側金属管の外面のうち、前記内側かしめ加工用溝と重なる位置でかしめ溝を形成し、前記外側金属管と前記内側金属管とをかしめる加工を施すかしめ加工工程とを含む接合管体の製造方法であって、
前記配置工程に先立ち、前記外側金属管に対し、前記配置工程で前記内側金属管と重ねたときに前記内側かしめ加工用溝と重なる位置に外側かしめ加工用溝を形成する外側かしめ加工用溝形成工程をさらに含み、
前記配置工程は、前記内側かしめ加工用溝と前記外側かしめ加工用溝とを重ねる工程であり、
前記かしめ加工工程は、前記内側かしめ加工用溝と前記外側かしめ加工用溝とが重なる位置でかしめ溝を形成する工程である、接合管体の製造方法。
【請求項３】
前記外側金属管は銅管であり、前記内側金属管はステンレス鋼管である、請求項１または２に記載の接合管体の製造方法。
【請求項４】
前記かしめ加工工程の後の前記内側金属管は、管径方向の深さが０．５ｍｍ以上である内側かしめ溝を有する、請求項１から３のいずれかに記載の接合管体の製造方法。
【発明の詳細な説明】
【技術分野】
【０００１】
本発明は、接合管体及びその製造方法に関する。より詳しくは、本発明は、引張強度が異なる異種金属管を接合した接合管体及び当該接合管体の製造方法に関する。
【背景技術】
【０００２】
一般に、給湯器や空調機、冷凍機等には熱交換器が用いられている。熱交換器は、主として、屋外機に組み込まれることから、熱交換器の配管は、耐食性が高い材料であることが求められる。また、熱交換器は、コンプレッサーから供給される冷媒ガスのガス圧に耐えられるだけの耐圧性、熱交換効率を高めるための伝熱性、及び配管同士の接合性が高い材料であることも求められる。耐食性、耐圧性、伝熱性及び接合性等を考慮し、熱交換器の配管として、銅管が多く用いられる。
【０００３】
ところで、近年、銅の価格が高騰しており、銅に代わる材料を熱交換器の配管材料にすることが求められている。銅に代わる材料の一例として、アルミニウムが挙げられる。しかしながら、アルミニウム管は、屋外環境での耐食性の面で課題を有する。そこで、近年、銅に代わる材料として、ステンレス鋼を用いる試みがなされている。
【０００４】
しかしながら、一般的に、熱交換器で使用される全ての銅管がステンレス鋼管に代替されるケースは少ないため、銅管とステンレス鋼管とを連結する接合部が多く発生することとなる。接合部における高い気密性と接合強度を有するようにするため、図１８に示すように、内側金属管１０１と外側金属管１０２とを端部同士で重ね、接続体１００’を形成した後、接続体１００’をローラー支軸２００に載せ、内側金属管１０１と外側金属管１０２との重なり部１１０’に、刃先を丸くさせた刃２０１を押し当て、接続体１００’の管軸１を回転軸として接続体１００’を回転させながら内側金属管１０１と外側金属管１０２とをかしめる加工を施し、接合体を得ることが提案されている（特許文献１）。また、コンプレッサーから供給される冷媒ガスのガス圧が高い場合、内圧による接合構造体の変形を抑えるため、外側金属管１０２をステンレス鋼管にし、変形抵抗の小さい銅管を内側金属管にするのが好ましいことが示されている（特許文献２）。
【先行技術文献】
【特許文献】
【０００５】
【特許文献１】特開２０１３−０６６９１１号公報
【特許文献２】特開２０１３−１５１０１３号公報
【発明の概要】
【発明が解決しようとする課題】
【０００６】
その一方で、配管を銅製熱交換器の外観に合わせるため、外側金属管１０２を銅管で構成するというニーズも存在する。しかしながら、銅管からなる外側金属管１０２と、ステンレス鋼管からなる内側金属管１０１とを組み合わせる場合は、接続体１００’の重なり部１１０’にかしめ加工を施して接合する際、外側金属管１０２の引張強度が相対的に低いため、かしめ加工を施した箇所において、大きな板厚減少が起きやすい。一方、内側金属管１０１は、引張強度が相対的に高いため、かしめ加工を施した箇所においても微小な変形が生じるにとどまる。そのため、かしめ加工を施しても、重なり部１１０’においてかしめ溝を形成できない場合がある。
【０００７】
このような理由から、ステンレス鋼管を内側金属管１０１にし、銅管を外側金属管１０２にしたときの金属管同士の接合強度は、銅管を内側金属管１０１にし、ステンレス鋼管を外側金属管１０２にしたときの接合強度の３割程度にとどまる。
【０００８】
このように、外側金属管を銅のような低強度材料で構成し、内側金属管をステンレス鋼のような高強度材料で構成しようとすると、かしめ部において、低強度材料の外側金属管で局部的に板厚減少が進むため、所望の接合強度が得られないという問題があった。
【０００９】
本発明は、以上のような課題を解決するために、外側金属管と、外側金属管に比べて高い引張強度の金属材料からなる内側金属管とを組み合わせた場合に、良好な接合強度を有する接合管体の提供を目的とする。また、引張強度の異なる金属管同士を接合しても接合部に割れが発生することがなく、接合管体を安定的に量産する製造方法の提供を目的とする。
【課題を解決するための手段】
【００１０】
本発明者らは、上記のような課題を解決するために鋭意研究を重ねた。その結果、まず、外側金属管に比べて高い引張強度の金属材料からなる内側金属管に内側かしめ加工用溝を形成し、次いで、外側金属管と内側金属管とを、内側かしめ加工用溝が外側金属管の内面と重なる位置に配した後、外側金属管の外面のうち、内側かしめ加工用溝と重なる位置でかしめ溝を形成し、外側金属管と内側金属管とをかしめる加工を施すことで、上記の課題を解決できることを見出し、本発明の完成に至った。具体的に、本発明は以下のものを提供する。
【００１１】
（１）本発明は、外側金属管と、前記外側金属管に比べて高い引張強度の金属材料からなり前記外側金属管の内側に挿入された内側金属管とがかしめられて接合された接合管体であって、前記内側金属管は、外面上に、管径方向の深さが０．５ｍｍ以上である内側かしめ溝を有する接合管体である。
【００１２】
（２）本発明は、前記外側金属管が銅管であり、前記内側金属管がステンレス鋼管である、上記（１）に記載の接合管体である。
【００１３】
（３）本発明は、前記外側金属管の少なくとも一方の端部に、内径が前記内側金属管の外径と略同じである拡管部が形成され、前記拡管部の基端と、前記内側金属管の一端とが接しており、前記外側金属管の外面のうち、前記内側かしめ溝と重なる位置に外側かしめ溝が形成されている、上記（１）又は（２）に記載の接合管体である。
【００１４】
（４）本発明は、上記（１）から（３）のいずれかに記載の接合管体を備える熱交換器である。
【００１５】
（５）本発明は、外側金属管に比べて高い引張強度の金属材料からなる内側金属管に内側かしめ加工用溝を形成する内側かしめ加工用溝形成工程と、前記内側かしめ加工用溝形成工程の後、前記外側金属管と前記内側金属管とを前記内側かしめ加工用溝が前記外側金属管の内面と重なる位置に配する配置工程と、前記外側金属管の外面のうち、前記内側かしめ加工用溝と重なる位置でかしめ溝を形成し、前記外側金属管と前記内側金属管とをかしめる加工を施すかしめ加工工程とを含む接合管体の製造方法である。
【００１６】
（６）本発明は、前記外側金属管の外面上であって、前記配置工程で前記内側金属管と重ねたときに前記内側かしめ加工用溝と重なる位置に目印を表示する目印表示工程をさらに含み、前記かしめ加工工程は、前記目印にしたがって前記かしめ溝を形成する工程である、上記（５）に記載の接合管体の製造方法である。
【００１７】
（７）本発明は、前記外側金属管の少なくとも一方の端部に、内径が前記内側金属管の外径と略同じである拡管部が形成されており、前記配置工程は、前記内側金属管を前記拡管部に挿入し、前記内側金属管の一端を前記拡管部の基端に突き当てる工程であり、前記かしめ加工工程は、前記拡管部の外面のうち、前記内側金属管の一端を前記拡管部の基端に突き当てたときに前記内側かしめ加工用溝と重なる位置でかしめ溝を形成し、前記外側金属管と前記内側金属管とをかしめる加工を施す工程である、上記（５）に記載の接合管体の製造方法である。
【００１８】
（８）本発明は、前記配置工程に先立ち、前記外側金属管に対し、前記配置工程で前記内側金属管と重ねたときに前記内側かしめ加工用溝と重なる位置に外側かしめ加工用溝を形成する外側かしめ加工用溝形成工程をさらに含み、前記配置工程は、前記内側かしめ加工用溝と前記外側かしめ加工用溝とを重ねる工程であり、前記かしめ加工工程は、前記内側かしめ加工用溝と前記外側かしめ加工用溝とが重なる位置でかしめ溝を形成する工程である、上記（５）に記載の接合管体の製造方法である。
【００１９】
（９）本発明は、前記外側金属管が銅管であり、前記内側金属管がステンレス鋼管である、上記（５）から（８）のいずれかに記載の接合管体の製造方法である。
【００２０】
（１０）本発明は、前記かしめ加工工程の後の前記内側金属管は、管径方向の深さが０．５ｍｍ以上である内側かしめ溝を有する、上記（５）から（９）のいずれかに記載の接合管体の製造方法である。
【発明の効果】
【００２１】
本発明によると、変形しにくい高強度の内側金属管の外面上に内側かしめ溝があらかじめ設けられ、その後、金属管同士をかしめる加工が施されて、金属管同士の接合部にかしめ溝が形成される。内側金属管よりも低強度の外側金属管は、当該内側かしめ溝内に入り込むように変形するので、板厚減少が抑制されて、かしめ溝が所定形状で形成されやすくなる。そのため、内側金属管体が外側金属管より引張強度の高い金属材料で構成された場合でも、良好な接合強度を有する接合管体が得られる。また、引張強度の異なる金属管同士を接合しても接合部に割れが発生することがなく、接合管体を安定的に量産することができる。耐食性、耐圧性、伝熱性等が求められる熱交換器等の用途に適用できる。
【図面の簡単な説明】
【００２２】
【図１】本発明の接合管体を説明する図である。
【図２】本発明の製造方法における内側かしめ加工用溝形成工程を説明する図である。
【図３】図２の工程に続く内側かしめ加工用溝形成工程を説明する図である。
【図４】本発明の製造方法における配置工程を説明する図である。
【図５】本発明の製造方法におけるかしめ加工工程を説明する図である。
【図６】本発明の製造方法における外側かしめ加工用溝形成工程を説明する図である。
【図７】図６の工程に続く外側かしめ加工用溝形成工程を説明する図である。
【図８】実施例に関して外側金属管の拡管加工を説明する図である。
【図９】実施例に関して外側金属管の外側かしめ加工用溝を説明する図である。
【図１０】実施例に関して内側金属管の内側かしめ加工用溝を説明する図である。
【図１１】実施例に関して内側金属管と外側金属管との挿入嵌合を説明する図である。
【図１２】実施例に関して外側金属管と内側金属管とのかしめ加工を説明する図である。
【図１３】比較例に関して内側金属管と外側金属管との挿入嵌合を説明する図である。
【図１４】引張試験において内側金属管（ステンレス鋼管）をチャックにより掴むために用いた冶具を説明する図である。
【図１５】引張試験において外側金属管（銅管）をチャックにより掴むために用いた冶具を説明する図である。
【図１６】実施例に関して接合管体の断面形状を示す図である。
【図１７】比較例に関して接合管体の断面形状を示す図である。
【図１８】従来の製造方法を説明する図である。
【発明を実施するための形態】
【００２３】
以下、本発明の具体的な実施形態について、詳細に説明するが、本発明は、以下の実施形態に何ら限定されるものではなく、本発明の目的の範囲内において、適宜変更を加えて実施することができる。
【００２４】
＜接合管体＞
図１は、本発明に係る接合管体１を説明するための概略模式図である。接合管体１は、外側金属管２と、この外側金属管２の内側に挿入された内側金属管３とを備え、外側金属管２及び内側金属管３は、互いにかしめられて接合されている。そして、内側金属管３は、外側金属管に比べて高い引張強度の金属材料からなり、外面上に、管径方向の深さが０．５ｍｍ以上である内側かしめ溝３１を有する。本明細書において、「引張強度」とは、外側金属管と内側金属管のそれぞれについて、ＪＩＳ  Ｚ２２４１により規定される「引張強さ」をいうものとする。
【００２５】
＜外側金属管＞
外側金属管２の材質は、内側金属管３に比べて低い引張強度を有するものであれば特に限定されるものでなく、銅、アルミニウム、及びこれらの合金等が挙げられる。屋外環境での耐食性、外側金属管２の管内を通過する冷媒ガスのガス圧に耐えられるだけの耐圧性、熱交換効率を高めるための伝熱性、及び配管同士の接合性に優れることから、外側金属管２の材質は、銅又は銅合金であることが好ましい。
【００２６】
外側金属管２の形状は特に限定されるものでないが、内側金属管３の一端が突き当たるまで内側金属管３を挿入し、基端２２から所定の長さを計測するだけで、内側かしめ溝３１と重なる位置を容易に特定できることから、外側金属管２の少なくとも一方の端部に、内径が内側金属管３の外径と略同じである拡管部２Ｃが形成されていることが好ましい。拡管部２Ｃが形成されている場合、拡管部２Ｃの基端２２と、内側金属管３の一端３２とが接しており、外側金属管２の外面のうち、内側かしめ溝３１と重なる位置に外側かしめ溝２１が形成されている。
【００２７】
外側金属管２が拡管部２Ｃを有する場合、拡管部２Ｃの長手方向の長さは特に限定されるものでないが、拡管部２Ｃの長手方向の長さは１０ｍｍ以上１００ｍｍ以下であることが好ましく、２０ｍｍ以上４０ｍｍ以下であることがより好ましい。
【００２８】
外側金属管２の外管本体２Ａと拡管部２Ｃとの間に形成される傾斜部２Ｂにおいて、外管本体２Ａに対するテーパー角度θは特に限定されるものでないが、該テーパー角度θは１０°以上８０°以下であることが好ましく、３０°以上６０°以下であることがより好ましい。
【００２９】
外管本体２Ａの外径は特に限定されるものでないが、外管本体２Ａの外径は４ｍｍ以上９０ｍｍ以下であることが好ましく、１０ｍｍ以上７０ｍｍ以下であることがより好ましい。
【００３０】
外管本体２Ａの内径は特に限定されるものでないが、外管本体２Ａの内径は３ｍｍ以上８８ｍｍ以下であることが好ましく、８ｍｍ以上６０ｍｍ以下であることがより好ましい。
【００３１】
拡管部２Ｃの外径は特に限定されるものでないが、拡管部２Ｃの外径は６ｍｍ以上１５０ｍｍ以下であることが好ましく、１５ｍｍ以上１００ｍｍ以下であることがより好ましい。
【００３２】
拡管部２Ｃの内径は、内側金属管３の外径と略同じであれば特に限定されるものでないが、拡管部２Ｃの内径は５ｍｍ以上１４０ｍｍ以下であることが好ましく、１２ｍｍ以上９０ｍｍ以下であることがより好ましい。
【００３３】
外側金属管２の肉厚は特に限定されるものでないが、外側金属管２の肉厚は０．１ｍｍ以上１０ｍｍ以下であることが好ましく、０．３ｍｍ以上３ｍｍ以下であることがより好ましい。
【００３４】
外側かしめ溝２１の深さは特に限定されるものでないが、０．１ｍｍ以上１ｍｍ以下であることが好ましく、０．３ｍｍ以上０．５ｍｍ以下であることがより好ましい。外側かしめ溝２１が浅すぎると、外側金属管２と内側金属管３とを十分なかしめ固定をすることができず、良好な接合強度を得られない可能性がある。外側かしめ溝２１が深すぎると、内側金属管３の変形が過多になり、金属材料の加工硬化に起因して、外側金属管２の外側かしめ溝２１が形成されたビード位置で割れを生じる可能性がある。
【００３５】
＜内側金属管＞
内側金属管３の材質は、外側金属管２に比べて高い引張強度を有するものであれば特に限定されるものでなく、容易に入手でき、屋外環境での耐食性に優れることから、内側金属管３の材質は、ステンレス鋼であることが好ましい。
【００３６】
内側金属管３の形状は特に限定されるものでなく、図示は省略するが、外側金属管２への挿入を行いやすくするため、少なくとも一方の端部において、外径が外側金属管２の内径と略同じである縮径部が形成されたものであってもよい。
【００３７】
内側金属管３の外径は、外側金属管２と重なる重なり部における外側金属管２の内径と略同じであれば特に限定されるものでないが、内側金属管３の外径は４ｍｍ以上１３９ｍｍ以下であることが好ましく、１１ｍｍ以上８９ｍｍ以下であることがより好ましい。
【００３８】
内側金属管３の内径は、特に限定されるものでないが、内側金属管３の内径は３ｍｍ以上１３７ｍｍ以下であることが好ましく、８ｍｍ以上６０ｍｍ以下であることがより好ましい。
【００３９】
内側金属管３の肉厚は、特に限定されるものでないが、内側金属管３の肉厚は０．１ｍｍ以上１０ｍｍ以下であることが好ましく、０．３ｍｍ以上３ｍｍ以下であることがより好ましい。
【００４０】
内側金属管３は、外面上に内側かしめ溝３１を有する。内側かしめ溝３１の管径方向の深さは、０．５ｍｍ以上であり、０．６ｍｍ以上であることが好ましく、０．８ｍｍ以上であることがより好ましい。内側かしめ溝３１の管径方向の深さが浅過ぎ０．５ｍｍ未満であると、外側金属管２と内側金属管３とを十分にかしめ固定することができず、良好な接合強度を得られない可能性があるため、好ましくない。
【００４１】
内側かしめ溝３１の深さの上限は、特に限定されないが、溝が深すぎると、内側金属管３の変形量が過多になり、内側かしめ溝３１が形成されたビード位置での割れを招く可能性がある。そのため、内側かしめ溝３１の深さは、５ｍｍ以下であることが好ましく、４ｍｍ以下であることがより好ましい。
【００４２】
＜熱交換器＞
本発明の熱交換器は、上記の接合管体１を備えるので、耐食性、耐圧性、伝熱性及び接合性に優れた熱交換器を提供できる。
【００４３】
＜接合管体の製造方法＞
以下、図２〜図７を参照しながら、本発明に係る接合管体１の製造方法について説明する。本発明に係る製造方法は、外側金属管２に比べて高い引張強度の金属材料からなる内側金属管３に内側かしめ加工用溝３１’を形成する内側かしめ加工用溝形成工程（図２及び図３）と、この内側かしめ加工用溝形成工程の後、外側金属管２と内側金属管３とを内側かしめ加工用溝３１’が外側金属管２の内面と重なる位置に配する配置工程（図４）と、外側金属管２の外面のうち、内側かしめ加工用溝３１’と重なる位置Ｐでかしめ溝（図１の外側かしめ溝２１及び内側かしめ溝３１）を形成し、外側金属管２と内側金属管３とをかしめる加工を施すかしめ加工工程（図５）とを含む。
【００４４】
＜内側かしめ加工用溝形成工程＞
図２及び図３は、上記内側かしめ加工用溝形成工程を説明するための概略断面図である。内側かしめ加工用溝形成工程は、内側金属管３に内側かしめ加工用溝３１’を形成する工程である。
【００４５】
内側かしめ加工用溝３１’を形成する手法は、特に限定されないが、例えば、転造法等が挙げられる。転造法は、ロール支軸４０に内側金属管３を載置し、刃先を丸くした刃５０を内側金属管３の外面に押し当てて、内側金属管３を管軸方向に回転させながら内側かしめ加工用溝３１’を形成する手法である。
【００４６】
内側かしめ加工用溝３１’の管径方向の深さは、特に限定されるものでないが、０．５ｍｍ以上５ｍｍ以下であることが好ましく、０．８ｍｍ以上２ｍｍ以下であることがより好ましい。内側かしめ加工用溝３１’が浅すぎると、外側金属管２と内側金属管３とを十分にかしめ固定することができず、良好な接合強度を得られない可能性がある。内側かしめ加工用溝３１’が深すぎると、外側金属管２のビード位置で割れを生じる可能性がある。
【００４７】
内側かしめ加工用溝３１’を形成する位置は、特に限定されるものでないが、内側金属管３の端部から５ｍｍ以上９５ｍｍ以下の範囲内にあることが好ましく、１０ｍｍ以上９０ｍｍ以下の範囲内にあることがより好ましい。
【００４８】
＜配置工程及びかしめ加工工程＞
図４は、上記配置工程を説明するための概略模式図である。配置工程は、内側かしめ加工用溝形成工程の後、外側金属管２と内側金属管３とを内側かしめ加工用溝３１’が外側金属管２の内面と重なる位置に配する工程である。
【００４９】
図５は、上記かしめ加工工程を説明するための概略模式図である。かしめ加工工程は、外側金属管２の外面のうち、内側かしめ加工用溝３１’と重なる位置Ｐでかしめ溝（図１の外側かしめ溝２１及び内側かしめ溝３１）を形成し、外側金属管２と内側金属管３とをかしめる加工を施す工程である。
【００５０】
外側金属管２と内側金属管３とをかしめる加工を施す手法として、内側かしめ加工用溝３１’を形成する手法と同様の手法が挙げられる。
【００５１】
ところで、本発明では、かしめ加工工程において外側金属管２と内側金属管３とをかしめる加工を施す際、外側金属管２の外面のうち、内側かしめ加工用溝３１’と重なる位置Ｐでかしめ溝を形成することから、位置Ｐの場所を具体的に特定できるようにする必要がある。このことから、配置工程及びかしめ加工工程の具体的態様として、複数種類の態様が挙げられる。
【００５２】
（第１の態様）
第１の態様は、外側金属管２の外面上であって、配置工程で内側金属管と重ねたときに内側かしめ加工用溝３１’と重なる位置に目印を表示する目印表示工程をさらに含む態様である。この態様では、位置Ｐの場所を目印から特定できるため、かしめ加工工程では、上記目印にしたがってかしめ溝を形成すればよい。
【００５３】
目印を表示する手法は、塗布、印刷またはシール貼付等の手段により位置Ｐにマーキングして位置Ｐの場所を特定できる態様であれば、特に限定されるものでない。
【００５４】
（第２の態様）
第２の態様は、外側金属管２として、少なくとも一方の端部に、内径が内側金属管３の外径と略同じである拡管部２Ｃが形成されたものを用いる態様である。この態様では、配置工程において、内側金属管３を拡管部２Ｃに挿入し、内側金属管３の一端を拡管部２Ｃの基端に突き当てることで、内側金属管３を一意の位置に配置できる。内側金属管３の内側かしめ加工用溝３１’の位置は、あらかじめ計測して特定できるので、外側金属管２において拡管部２Ｃの外面のうち、内側金属管３の一端を拡管部２Ｃの基端２２に突き当てたときに内側かしめ加工用溝３１’と重なる位置Ｐも容易に特定できる。そのため、かしめ加工工程では、位置Ｐでかしめ溝を形成し、外側金属管２と内側金属管３とをかしめる加工を施せばよい。
【００５５】
（第３の態様）
図６及び図７は、第３の態様を説明するための概略模式図である。第３の態様は、配置工程に先立ち、外側金属管２に対し、配置工程で内側金属管３と重ねたときに内側かしめ加工用溝３１’と重なる位置に外側かしめ加工用溝２１’を形成する外側かしめ加工用溝形成工程をさらに含む態様である（図６）。この態様では、配置工程において、外側金属管２内に内側金属管３を挿入して、内側かしめ加工用溝３１’と外側かしめ加工用溝２１’とが重ねる位置に到達すると、両者の溝が確実に係合する。そのため、かしめ加工工程では、内側かしめ加工用溝３１’と外側かしめ加工用溝２１’とが重なる位置Ｐでかしめ溝を形成すればよい（図７）。
【００５６】
外側かしめ加工用溝２１’を形成する手法として、内側かしめ加工用溝３１’を形成する手法と同様の手法が挙げられる。
【００５７】
外側かしめ加工用溝２１’の管径方向の深さは、特に限定されるものでないが、０．５ｍｍ以上１０ｍｍ以下であることが好ましく、１ｍｍ以上５ｍｍ以下であることがより好ましい。外側かしめ加工用溝２１’が浅すぎると、外側金属管２と内側金属管３との位置合わせの役割をなさない可能性がある。外側かしめ加工用溝２１’が深すぎると、内側金属管３を外側金属管２に嵌め込めない可能性がある。
【００５８】
上記第１から第３の態様は、位置Ｐの場所を具体的に特定できるようにするための例であり、本発明は、これらの態様に何ら限定されるものではない。また、これら第１から第３の態様は、いずれか一の態様を選択してもよいし、複数の態様を選択してもよい。
【実施例】
【００５９】
以下、実施例により本発明を具体的に説明するが、本発明はこれらに限定されるもので
はない。
【００６０】
＜実施例＞
外側金属管２として、外径３２．５ｍｍ、板厚２．３ｍｍ、長さ１００ｍｍの銅管を用いた。内側金属管３として、外径３２．０ｍｍ、板厚１．２ｍｍ、長さ１００ｍｍのＳＵＳ３０４のステンレス鋼管を用いた。外側金属管の引張強度は２１０Ｎ／ｍｍ２、内側金属管の引張強度は６７２Ｎ／ｍｍ２であった。
【００６１】
上述した第３の態様により接合管体を製造した。まず、図８に示すように、外側金属管２の一端から３０ｍｍまでの箇所を、外径３３．０ｍｍ、テーパー角度３０°を有する金型でプレスし、拡管加工した。続いて、転造法を用いて、図９に示すように、拡管部２Ｃの基端２２から２０ｍｍの位置に、全周にわたって深さ０．５ｍｍの外側かしめ加工用溝２１’を設けた。
【００６２】
続いて、転造法を用いて、図１０に示すように、内側金属管３の一端から２０ｍｍの位置に、全周にわたって深さ０．８ｍｍの内側かしめ加工用溝３１’を設けた。
【００６３】
続いて、図１１に示すように、内側金属管３を外側金属管２の拡管部２Ｃに挿入し、外側かしめ加工用溝２１’と内側かしめ加工用溝３１’とが重なり合う位置に到達すると、両者の溝は確実に係合した。そして、図１２に示すように、外側かしめ加工用溝２１’に刃先を丸くした刃５０を押し当て、外側金属管２と内側金属管３との接続体を管軸方向に回転させながら、外側金属管３のかしめ溝における外径が３２ｍｍになるまでかしめ溝を形成することで、外側金属管２と内側金属管３とをかしめる加工を施して、実施例に係る接合管体１を得た。
【００６４】
＜比較例＞
外側金属管及び内側金属管として、実施例と同じ銅管及びステンレス鋼管を用いた。
【００６５】
まず、図８に示すように、外側金属管２の一端から３０ｍｍまでの箇所を、外径３３．０ｍｍ、テーパー角度３０°を有する金型でプレスし、拡管加工した。
【００６６】
続いて、図１３に示すように、内側金属管３を外側金属管２の拡管部に挿入し、内側金属管３の一端を拡管部の基端に突き当てた。そして、拡管部２Ｃの基端から２０ｍｍの位置に刃先を丸くした刃５０を押し当て、外側金属管２と内側金属管３との接続体を管軸方向に回転させながら、外側金属管３の外径が３２ｍｍになるまでかしめ溝を形成することで、外側金属管２と内側金属管３とをかしめる加工を施して、比較例に係る接合管体６０を得た。
【００６７】
＜評価＞
接合管体の接合強度を評価するため、実施例と比較例で製作した接合管体（長さ約１７０ｍｍ）のそれぞれについて引張試験を行った。接合管体のかしめ溝が引張試験機の２つのチャックのほぼ中央となるように配置した。また、引張試験中に接合管体が延びながら楕円形に潰れるのを防止するため、図１４及び図１５に示す冶具を使用した。図１４は、内側金属管３（ステンレス鋼管）を掴むために用いた冶具であり、φ２９．５ｍｍの円筒形の曲面を内側金属管３の内面側に差込み、φ３２．０ｍｍの円筒形の曲面をチャックで掴んだ。図１５は、外側金属管２（銅管）を掴むために用いた冶具であり、φ２７．８ｍｍの円筒形の曲面を外側金属管２の内面側に差込み、φ３２．０ｍｍの円筒形の曲面をチャックで掴んだ。引張速度は１０ｍｍ／分とし、荷重−ストローク曲線を計測した。実施例、比較例とも、かしめ部の破断時に、荷重がピーク値に達した。このピーク値から接合強度を得た。
【００６８】
実施例の接合管体１は、接合強度が１１．４２ｋＮであり、比較例に係る接合管体は、接合強度が６．０３ｋＮであった。実施例の接合管体１は、比較例の接合管体６０に比べて、接合強度が約８９％も向上した。このように、実施例では、内側金属管の外面上に管径方向の深さが０．８ｍｍの内側かしめ溝を有することから、外側金属管とのかしめ加工により良好な接合強度を有する接続管体が得られた。
【００６９】
本発明で接合強度が向上した理由を考察するため、実施例及び比較例に係る接合管体１及び６０において、かしめ溝を含む断面形状を写真撮影した（倍率：１０倍）。図１６は、その写真に基づいて、実施例に係る接合管体１の断面形状を示す模式図であり、図１７は、同様に、比較例に係る接合管体６０の断面形状を示す模式図である。
【００７０】
図１６と図１７とを比べると、実施例に係る接合管体１（図１６）では、内側金属管３の外面上に内側かしめ溝３１が形成されている。一方、比較例に係る接合管体６０（図１７）は、内側金属管３の変形が微小であり、内側金属管３の外面上に内側かしめ溝３がほとんど形成されていない。これは、比較例に係る接合管体６０では、界面の摩擦力だけで接合状態が保たれているためと考えられる。
【符号の説明】
【００７１】
１    接合管体
２    外側金属管
２１  外側かしめ溝
２２  拡管部基端
３    内側金属管
３１  内側かしめ溝
３２  一端
４０  ロール支軸
５０  刃
Ｐ    重なる位置
【図１】
0006489878.tif 000002
【図２】
0006489878.tif 000003
【図３】
0006489878.tif 000004
【図４】
0006489878.tif 000005
【図５】
0006489878.tif 000006
【図６】
0006489878.tif 000007
【図７】
0006489878.tif 000008
【図８】
0006489878.tif 000009
【図９】
0006489878.tif 000010
【図１０】
0006489878.tif 000011
【図１１】
0006489878.tif 000012
【図１２】
0006489878.tif 000013
【図１３】
0006489878.tif 000014
【図１４】
0006489878.tif 000015
【図１５】
0006489878.tif 000016
【図１６】
0006489878.tif 000017
【図１７】
0006489878.tif 000018
【図１８】
0006489878.tif 000019